(57)【要約】【課題】バイタルセンサを用いて複数の患者の安否状態を監視するシステムにおいて、モニターにバイタルセンサに基づく安否状態を表示するとともに、該表示に対応する患者の病室の位置を迅速に認識できるように構成する。【解決手段】モニター１ａの安否確認画面７に、各病室の配列状態を病室番号とともに部屋割り状に表示する部屋割り表示部７ａを設け、部屋割り表示部７ａにおいて割り付けられた病室に、該病室に接続されるバイタルセンサ６からの安否情報を表示する表示枠８を設ける構成とする。【選択図】図３
2010284245.tif 000002
【特許請求の範囲】
【請求項１】
複数の患者の生体情報をそれぞれ個別に検出する複数のバイタルセンサを、それぞれの患者が収容される病室内に配設された接続部を介して集中管理室に設けられるコンピュータに接続し、各バイタルセンサのデータに基づいて対応する患者の安否状態を個別に判断し、これら個別の安否情報をコンピュータのモニターに集中表示する安否確認システムにおいて、前記モニターは、各病室の配列状態を病室番号とともに部屋割り状に表示し、これら割り付けられた病室に、該病室に接続されるバイタルセンサからの安否情報を表示する表示枠を設けたことを特徴とする安否確認システム。
【請求項２】
表示枠は、色彩変化に基づいて患者の安否状態の状態変化を表示できるように構成したことを特徴とする請求項１に記載の安否確認システム。
【発明の詳細な説明】
【技術分野】
【０００１】
本発明は、病院や介護施設等の医療機関で患者の安否をモニターして、患者の異常に伴い迅速な対応をするための安否確認システムの技術分野に関するものである。
【背景技術】
【０００２】
一般に、病院や介護施設等の医療機関においては、病室に入院する患者に対し、看護者が常に対応できるシステムが要求されている。その一つの手段として、患者のベッドサイドに設けた子機と、ナースステーション等の集中管理室に設けた親機とにより構成し、子機からの呼び出しがあった場合に、看護者が親機を用いて対応できるようにしたナースコールシステムが知られている。このようなナースコールシステムのなかには、待ち受け画面において、病棟平面図として病室単位で区切り、これら区切られた表示部に、患者名、性別等の患者管理データ等を一覧表示するようにして、各患者の基本情報を容易に把握、確認できるようにしたものが提唱されている。
【０００３】
【特許文献１】特開２００５−１５１５４０号公報
【発明の概要】
【発明が解決しようとする課題】
【０００４】
ところで、患者のなかには重篤な病状の場合があり、この場合では、自ら子機を用いて看護者に看護要求をするようなことはできない。そこで、このような患者に対しては二十四時間の監視が必要になり、患者にバイタルセンサ等、各種医療機器を装着し、これら医療機器からの検知データに基づいて患者の安否状態を集中管理室側のモニターにおいて監視するシステムが提唱されており、これによって、複数の重篤な患者を同時に監視することが可能となるようにしている。この場合に、集中管理室側では、複数の患者のデータを監視することになるため、複数の患者の状態変化を一覧できることが要求されるとともに、緊急の看護が必要な患者が発生したとき、前記患者を特定して、該患者の病室に迅速に駆けつけられるようにすることが要求されるが、このような要求に対応できる監視システムについての提唱はなく、ここに本発明の解決すべき課題がある。
【課題を解決するための手段】
【０００５】
本発明は、上記の如き実情に鑑みこれらの課題を解決することを目的として創作されたものであって、請求項１の発明は、複数の患者の生体情報をそれぞれ個別に検出する複数のバイタルセンサを、それぞれの患者が収容される病室内に配設された接続部を介して集中管理室に設けられるコンピュータに接続し、各バイタルセンサのデータに基づいて対応する患者の安否状態を個別に判断し、これら個別の安否情報をコンピュータのモニターに集中表示する安否確認システムにおいて、前記モニターは、各病室の配列状態を病室番号とともに部屋割り状に表示し、これら割り付けられた病室に、該病室に接続されるバイタルセンサからの安否情報を表示する表示枠を設けたことを特徴とする安否確認システムである。
請求項２の発明において、表示枠は、色彩変化に基づいて患者の安否状態の状態変化を表示できるように構成したことを特徴とする請求項１に記載の安否確認システムである。
【発明の効果】
【０００６】
請求項１の発明とすることにより、複数の患者に対しバイタルセンサのデータに基づく個別の安否情報を一覧が可能となるうえ、患者の安否情報を示す表示枠が、部屋割り状に区画された病室に表示されて、病室の場所を視覚的に、迅速に認識できて、緊急の対応を円滑に行える。
請求項２の発明とすることにより、安否状態を把握しやすく、監視作業が容易になる。
【図面の簡単な説明】
【０００７】
【図１】安否確認システムを示すブロック図である。
【図２】安否確認システムの配線状態を説明する概略斜視図である。
【図３】安否確認システムのモニターの安否確認画面図である。
【図４】安否確認システムのモニターのユーザー設定画面図である。
【発明を実施するための形態】
【０００８】
以下、本発明の実施の形態について、図面に基づいて説明する。
図１は安否確認システムを説明するブロック図であって、該ブロック図において、１は、病院内の例えばナースステーション等の集中管理室に設けられる集中管理用のコンピュータであって、該コンピュータ１は、ＣＰＵ、ＲＯＭ、ＲＡＭ、ハードディスク、モニター１ａ、キーボード、マウス等を備えた汎用のものが用いられている。
そして、コンピュータ１には、各入院患者の病室番号、ＩＤとともに、氏名、性別、年齢、介護度等の個人情報が予め基本データとして登録されている。さらに、コンピュータ１には、本発明が実施された安否確認システムを実施するための安否確認プログラムが組込まれている。
【０００９】
ここで、本発明が実施されている病院において、入院病棟は二階、三階に設けられており、各階にそれぞれ適宜区画された病室が複数設けられており、集中管理用のコンピュータ１は、二階の集中管理室に設けられている。２Ｆ２、２Ｆ３は、前記コンピュータ１との間をＬＡＮ通信により接続される二階、三階用ハブであって、これら二階、三階用ハブ２Ｆ２、２Ｆ３には、二階、三階用の情報処理装置としての二階、三階用シーケンサ３Ｆ２、３Ｆ３がそれぞれＬＡＮ通信により接続されている。そして、二階、三階用シーケンサ３Ｆ２、３Ｆ３には、複数のＣｏｍｐｏＮｅｔ通信用の回線が分岐配線されており、これら各配線が、対応する階の各病室に配線され、病室壁面に固定されるコネクタ受け部４に接続されている。
【００１０】
一方、各病室には、図２に示すように、それぞれベッド５が配設されており、前記ベッド５上には、患者が横臥（着床）した時に患者の生体情報を検知することができる圧力検知型バイタルセンサ６（以後、バイタルセンサ６と記載）が設けられている。前記バイタルセンサ６は、ベッド５上に着床する患者の上半身の下に位置して敷かれるマット６ａと、該マット６ａが受ける圧力変化を検知信号として出力するセンサユニット６ｂと、センサユニット６ｂが出力した検知信号を外部に接続するためのコネクタ６ｃとを備えて構成されている。ここで、本実施の形態のバイタルセンサ６は、患者が呼吸することにより生じるマット６ａの圧力の変化を検知し、該検知データをセンサユニット６ｂを介して出力し、該検知データに基づいて患者の呼吸数を検出するように構成されている。
【００１１】
そして、前記コネクタ６ｃを、病室壁面に設けられている前記コネクタ受け部４に接続することにより、センサユニット６ｂと集中管理用のコンピュータ１との接続がなされ、各病室に設けられるバイタルセンサ６からの検知信号（データ）は、各階のセンサユニット６ｂから対応する二階、三階用シーケンサ３Ｆ２、３Ｆ３にそれぞれ入力され、これら二階、三階用シーケンサ３Ｆ２、３Ｆ３により後述する手順に基づいて個別に処理されるように構成されており、前記個別に処理されたデータが、二階、三階用ハブ３Ｆ２、３Ｆ３を介して集中管理用のコンピュータ１にそれぞれ入力されるように構成されている。
そして、コンピュータ１に入力された処理データは、安否確認システムのプログラムに基づいて、モニター１ａに患者の着床、離床、異常等の呼吸数に基づく安否情報を表示して、患者の安否確認が判断できるように構成されている。
【００１２】
つぎに、安否確認システムの二階、三階用シーケンサ３Ｆ２、３Ｆ２におけるデータ処理の手順について概略を説明する。
まず、センサユニット６ｂの電源が投入され、マット６ａによる圧力検知が可能な状態となると、対応するセンサユニット６ｂが接続されるシーケンサ３Ｆ２、または、３Ｆ３は、検知信号の入力の有無に基づいて、患者がマット３ａ上に着床しているか否かを判断し、患者が着床しており、検知信号の入力がある場合では処理データとして着床信号を出力するように設定されている。一方、患者が離床しており、検知信号の入力がない場合では処理データとして離床信号を出力するように設定されている。また、シーケンサ３Ｆ２、または３Ｆ３は、着床信号を出力する状態から二十秒の待機時間が経過すると、処理データとして計測信号を出力するとともに、二十秒毎の呼吸数をカウントするように設定されている。そして、シーケンサ３Ｆ２、または３Ｆ３は、二十秒間の呼吸数が、予め設定される上限値、および、下限値であって、後述する安否確認プログラムにおいて設定される上、下限値の範囲から逸脱する場合、即ち、上限値よりも大きくなる、または、下限値よりも小さくなった場合に、処理データとして異常信号を出力するように設定されている。
尚、各シーケンサ３Ｆ２、３Ｆ３は、二十秒間毎の呼吸数のカウント値を処理データとして出力することができるように設定されているとともに、６分毎の呼吸数を二十四時間前まで記憶し、該記憶したデータを出力することができるように設定されている。
【００１３】
一方、コンピュータ１において、起動状態として安否確認プログラムを呼び出すと、モニター１ａには、図３に示す安否確認画面７が表示されるように設定されている。
前記安否確認画面７には、画面上方に三階の概略平面図、画面中央に二階の概略平面図として、それぞれの階の病室の配列状態が病室単位に割り付けられて（区切られて）、病室番号とともに部屋割り状に表示された部屋割り表示部７ａが設けられている。そして、部屋割り表示部７ａにおいてそれぞれ病室単位に割り付けられたスペースに、該病室に接続されているバイタルセンサ６、つまり、該病室に収容される患者専用のバイタルセンサ６の検知状態を表示する四角形状の表示枠８がそれぞれ表示されている。そして、これら表示枠８は、二階、三階用シーケンサ３Ｆ２、３Ｆ３から二階、三階用ハブ２Ｆ２、２Ｆ３を経由してコンピュータ１に入力される個別の処理データに対応してそれぞれ個別に色彩変化して表示されるように設定されており、該色彩により患者の安否状態を確認することができるように構成されている。
【００１４】
つまり、バイタルセンサ６が病室のコネクタ受け４に接続されていない場合では、対応する病室の表示枠８は彩色されない状態（図３においてブランク表示）に表示されるように設定されている。また、バイタルセンサ６が接続された（起動した）が、患者が着床されていない状態であって、対応するシーケンサ３Ｆ２または３Ｆ３からの処理データとして離床信号が入力された場合では、表示枠８が例えば灰色に彩色（図３において斜線表示）された表示となるように設定されている。また、患者がマット６ａ上に着床して着床信号が出力されて、呼吸数をカウントするべく待機状態となると、表示枠８は例えば緑色に彩色（図３においてドット表示）された表示となり、待機時間が経過して計測が開始されて計測信号が入力されると、表示枠８は青色に彩色（図３において交斜線表示）された表示となるように設定されている。そして、患者の二十秒間の呼吸数が、予め設定される上、下限値により設定される範囲を逸脱する状態であって、対応するシーケンサ３Ｆ２または３Ｆ３からの処理データとして異常信号が入力された場合では、表示枠８は例えば赤色に彩色（図３において黒色表示）された表示となるように設定されている。さらに、異常信号を入力した場合に、警報音が発音するようにしてもよく、このようにすることにより、モニター１ａを監視していない状態であっても、周囲の看護者に注意喚起することができて、患者の異常を確実に周知することが可能となる。そして、任意の患者が異常状態となった場合に、モニター１ａには前記任意の患者の病室内の表示枠８が赤色表示されることになるが、この場合に、病室は、部屋番号とともに部屋割り状に表示されるため、看護者が、赤色表示される表示枠８に対応する患者の病室の場所を直ちに認識して、迅速に駆けつける等の対処をすることができるように構成されている。
【００１５】
さらに、安否確認画面７の下方には、重点監視モニター表示部７ｂが設けられており、部屋割り表示部７ａの二階、三階の各病室に配列されている表示枠８のうち、任意の病室の表示枠８（図３において、病室番号２１１の表示枠８であって、○印部分）をクリックした場合に、前記任意の病室（病室番号２１１）に収容される特定された患者の基本データと、該特定された患者の予め設定される呼吸数の上、下限値、さらには、バイタルセンサ６により検知される最新の二十秒間の呼吸数等の特有のデータが表示されるように構成されている。
ここで、重点監視モニター表示部７ｂに表示される呼吸数の「上、下限値」表示は、「変更」表示をクリックすることにより、数値を任意に設定することができるように構成されており、後述するように、前記特定された患者にバイタルセンサ６の使用を開始する場合に、予め患者の状態に合わせて適宜設定するものである。
また、重点監視モニター表示部７ｂに表示される「２４Ｈログ」表示は、該部位をクリックすることにより、「２４Ｈログ」表示の下方に設けられた「呼吸タイミングモニター」表示部に、病室番号２１１の患者の二十四時間前までの６分毎の呼吸数のチャートが表示されるように設定されており、これによって、特定の患者の基本データとともに、詳細な安否情報（呼吸状態）を確認することができるように構成されている。
【００１６】
図４に示すユーザー設定画面９は、安否確認画面７の下方に設けられた「ユーザー設定」表示をクリックすることにより表示される画面であって、該ユーザー設定画面９は、「２Ｆ」、「３Ｆ」表示を押し分けることにより二階用と三階用画面とに切換えられるように構成されており、二階用、三階用の各画面には、各階において用いられるバイタルセンサ６のセンサユニット６ｂに附されたユニット番号欄と、該センサユニット６ｂを使用する使用者のＩＤ番号欄と、患者名欄とを設定する第一表図表示部９ａと、病室番号欄と該病室に収容される患者のＩＤ番号欄とを設定する第二表図表示部９ｂとが表示されるように設定されている。さらに、ユーザー設定画面９の右上方には、第一、第二表図表示部９ａ、９ｂに基づいて、センサユニット６ｂと患者、および、病室とを特定するための設定作業部９ｃが表示されるように設定されている。
【００１７】
つぎに、前記安否確認システムの使用手順について説明する。
まず、基本データをコンピュータ１に登録する。このとき、入院患者のＩＤ番号、病室番号とともに、氏名、性別、年齢、介護度等の個人情報を登録する。
続いて、前記患者に用いるセンサユニット６ｂを特定する。この場合に、安否確認プログラムのユーザー設定画面９を呼び出し、患者の入院する病棟階に基づいて対応する階の第一表図表示部９ａにおいて、前記特定されたセンサユニット６ｂのユニット番号をクリックすると、ユーザー設定画面９に第二表図表示部９ｂと設定作業部９ｃとが表示され、前記特定されたセンサユニット６ｂを接続する病室番号を第二表図表示部９ｂにおいてクリックすることにより、設定作業部９ｃにセンサユニット６ｂのユニット番号と病室番号との両者とともに、患者のＩＤ、氏名が表示され、この状態において、設定作業部９ｃの「設定」表示をクリックすると、センサユニット６ｂを用いる患者、および、病室とを特定することができる。
因みに、センサユニット６ｂの使用を停止する場合では、前記設定作業部９ｃにおいてセンサユニット６ｂのユニット番号と病室番号（患者）とを特定した後、「解除」表示をクリックすることで、これらの特定状態を解除することができる。
【００１８】
このように、センサユニット６ｂのユニット番号と患者、および、病室とを特定した後、前記病室番号の病室において、ベッド５にマット６ａを設置するとともに、マット６ａに、前記特定されたセンサユニット６ｂを接続し、センサユニット６ｂから引出されるコネクタ６ｃを、病室に配設されるコネクタ受け４に接続する。この状態において、マット６ａが正常作動であるか否かについては、センサユニットに設けられる表示ランプ（ＬＥＤ）により確認する。
続いて、安否確認プログラムの安否確認画面７を呼び出して、該当する表示枠８が離床信号に基づく灰色に彩色されているか否かを確認して、センサユニット６ｂが正常に作動しているか否かを確認する。そして、ベッド５に患者を着床させた後、患者の呼吸状態を重点監視モニター表示部７ａにより監視して、適切な上、下限値を決定し、重点監視モニター表示部７ａにおいて上、下限値を設定することにより安否確認システムが実行可能となる。
【００１９】
叙述の如く構成された本形態において、患者の安否情報を検知する安否確認システムは、集中管理室に設けたコンピュータ１のモニター１ａに表示される安否確認画面７に、各階の病棟の概略平面図として病室の配列状態が部屋番号とともに部屋割り状に表示された部屋割り表示部７ａが設けられ、これら病室毎に区切られたスペースに表示枠８が表示され、該表示枠８に、前記病室に接続されるバイタルセンサ６に基づく安否情報が表示されている。この結果、部屋割り表示部７ａにより、複数の患者に対しバイタルセンサ６のデータに基づく個別の安否情報を一覧することができて、各患者の個別の安否情報を容易に把握、かつ、確認することができる。そのうえ、患者の安否情報となる表示枠８は、病棟の概略平面図として部屋割り状に区画された病室に表示されているので、任意の患者に異常が発生した場合に、モニター１ａに異常を知らせるべく表示される表示枠８と、該表示枠８に対応する患者の病室の場所（位置）を視覚的に、しかも、迅速に認識することができて、緊急の対応を一層円滑に行うことができる。
【００２０】
このように、本発明が実施されたものにあっては、部屋割り状に区画された病室に、該病室の患者専用のバイタルセンサ６の表示枠８が表示されて、表示枠８に対応する患者の病室の場所を視覚的に認識できるものであるが、さらに、このものでは、表示枠８を、患者の安否状態に基づいて色彩変化するようにしたので、看護者にとって患者の安否状態を表示枠８の色彩によって判断することができて、安否状態を把握しやすく、監視作業が容易になる。
【産業上の利用可能性】
【００２１】
本発明は、病院や介護士性等において、患者の安否を集中的に監視するようなシステムに利用することができる。
【符号の説明】
【００２２】
１  コンピュータ
１ａ  モニター
２Ｆ２  二階用ハブ
２Ｆ３  三階用ハブ
３Ｆ２  二階用シーケンサ
３Ｆ３  三階用シーケンサ
４  コネクタ受け部
５  ベッド
６  バイタルセンサ
６ａ  マット
６ｂ  センサユニット
６ｃ  コネクタ
７  安否確認画面
７ａ  部屋割り表示部
７ｂ  重点監視モニター表示部
８  表示枠
９  ユーザー設定画面
【図１】
2010284245.tif 000003
【図２】
2010284245.tif 000004
【図３】
2010284245.tif 000005
【図４】
2010284245.tif 000006